(57)【要約】      （修正有）【課題】遠距離に設けられる発光ダイオード表示モジュールの画像情報に歪みがあるかを迅速に検出できる発光ダイオード表示システムを提供する。【解決手段】第１の発光ダイオード表示モジュール１３は画像情報を表示するためのものである。制御モジュール１１は、複数の制御信号を第１の駆動モジュール１２に提供し、第１の発光ダイオード表示モジュール１３中の複数の発光ダイオードユニットを駆動して、画像情報を表示し、第１の発光ダイオード表示モジュール１３及び第１の駆動モジュール１２は、制御信号を制御モジュール１１に送り返し、制御モジュール１１は、送り返された制御信号に応じて、第２の発光ダイオード表示モジュール１４を駆動して、画像情報を表示する。ユーザが第２の発光ダイオード表示モジュール１４の画像情報に応じて前記第１の発光ダイオード表示モジュール１３の画像情報を確認する。【選択図】図２
2019185027.tif 000002
【特許請求の範囲】
【請求項１】
複数の発光ダイオードユニットを備え、画像情報を表示するための第１の発光ダイオード表示モジュールと、
第２の発光ダイオード表示モジュールと、
制御モジュールと、
前記制御モジュールと前記第１の発光ダイオード表示モジュールとに電気的に接続される第１の駆動モジュールと、を備える発光ダイオード表示システムであって、
前記制御モジュールは、前記画像情報に対応する複数の制御信号を前記第１の駆動モジュールに提供し、前記第１の発光ダイオード表示モジュール中の前記複数の発光ダイオードユニットを駆動して、前記画像情報を表示し、前記第１の発光ダイオード表示モジュール及び前記第１の駆動モジュールは、前記画像情報に対応する前記制御信号を前記制御モジュールに送り返し、前記制御モジュールは、前記第１の発光ダイオード表示モジュール及び前記第１の駆動モジュールから送り返された前記画像情報に対応する前記制御信号に応じて、前記第２の発光ダイオード表示モジュールを駆動して、前記第２の発光ダイオード表示モジュールに前記画像情報を表示し、
ユーザが前記第２の発光ダイオード表示モジュールに表示される前記画像情報の内容に応じて、前記第１の発光ダイオード表示モジュールの前記画像情報を確認することを特徴とする、発光ダイオード表示システム。
【請求項２】
前記第１の発光ダイオード表示モジュール及び前記第１の駆動モジュールから送り返された前記画像情報に対応する前記制御信号を前記制御モジュールから受信して、前記第２の発光ダイオード表示モジュールを駆動する第２の駆動モジュールをさらに備えることを特徴とする、請求項１に記載の発光ダイオード表示システム。
【請求項３】
前記第２の駆動モジュールは、第１の駆動ユニットと第２の駆動ユニットとを備え、前記第２の駆動モジュールの前記第１の駆動ユニット及び前記第２の駆動ユニットは、前記第１の発光ダイオード表示モジュール及び前記第１の駆動モジュールから送り返された前記画像情報に対応する前記制御信号に応じて、前記第２の発光ダイオード表示モジュールを駆動することを特徴とする、請求項２に記載の発光ダイオード表示システム。
【請求項４】
前記第１の駆動モジュールは、前記制御モジュールから提供される前記画像情報に対応する前記制御信号に応じて、前記第１の発光ダイオード表示モジュールを駆動するための第１の駆動ユニットと第２の駆動ユニットとを備えることを特徴とする、請求項１に記載の発光ダイオード表示システム。
【請求項５】
前記第１の発光ダイオード表示モジュールは複数の発光ダイオードユニットを備え、前記第２の発光ダイオード表示モジュールは複数の発光ダイオードユニットを備え、前記第１の発光ダイオード表示モジュールのサイズと前記第２の発光ダイオード表示モジュールのサイズとが同じであり、前記第１の発光ダイオード表示モジュールの前記発光ダイオードユニットの数と前記第２の発光ダイオード表示モジュールの前記発光ダイオードユニットの数とが同じであることを特徴とする、請求項１に記載の発光ダイオード表示システム。
【請求項６】
前記第１の発光ダイオード表示モジュールは複数の発光ダイオードユニットを備え、前記第２の発光ダイオード表示モジュールは複数の発光ダイオードユニットを備え、前記第１の発光ダイオード表示モジュールのサイズと前記第２の発光ダイオード表示モジュールのサイズとが異なり、前記第１の発光ダイオード表示モジュールの前記発光ダイオードユニットの数と前記第２の発光ダイオード表示モジュールの前記発光ダイオードユニットの数とが異なることを特徴とする、請求項１に記載の発光ダイオード表示システム。
【請求項７】
前記第１の発光ダイオード表示モジュールが第１の場所に設置され、前記第２の発光ダイオード表示モジュールが第２の場所に設置され、前記第１の場所と前記第２の場所とが異なることを特徴とする、請求項１に記載の発光ダイオード表示システム。
【請求項８】
発光ダイオード表示システムに適用する画像検出方法であって、
複数の制御信号に応じて第１の発光ダイオード表示モジュールを駆動して、少なくとも一つの第１の画像情報を表示するステップと、
前記複数の制御信号を送り返すステップと、
送り返された前記複数の制御信号に応じて、第２の発光ダイオード表示モジュールを駆動して、前記第１の画像情報を表示するステップと、
前記第２の発光ダイオード表示モジュールの前記第１の画像情報に応じて前記第１の発光ダイオード表示モジュールの前記第１の画像情報が歪んでいるかを判断するステップと、
を含むことを特徴とする、画像検出方法。
【発明の詳細な説明】
【技術分野】
【０００１】
本発明は、発光ダイオード表示システムに関し、特に二つの表示モジュールを有する発光ダイオード表示システムに関する。
【背景技術】
【０００２】
近年、大型サイズの発光ダイオード表示モジュールの需要が大幅に高まっており、特に屋外広告看板において、大型サイズ発光ダイオード表示モジュールはさらに優位性を示している。場所の実際の大きさに従いサイズを調整できる優位性を有するだけではなく、コストの面でも同じサイズの液晶パネルに対して、さらに優位性を有する。しかし、屋外場所に設置される発光ダイオード表示モジュールは、天候により駆動回路又は他の回線に損傷が発生し、画像情報を表示する場合に歪みが生じてしまう。そこで、一つの監視装置を追加設置して発光ダイオード表示モジュールの画像情報を監視することがある。しかしながら、これはコストアップとなるだけではなく、危ないところ（ビルの外壁）に設置するための工事も容易ではない。
【発明の概要】
【発明が解決しようとする課題】
【０００３】
このため、遠距離に設けられる発光ダイオード表示モジュールの画像情報に歪みがあるかを迅速に検出できる発光ダイオード表示システムを提供することは、現在業界における重要課題である。この点に鑑み、本発明は、発光ダイオード表示システムを提供する。
【課題を解決するための手段】
【０００４】
本発明の一態様に係る発光ダイオード表示システムは、第１の発光ダイオード表示モジュールと、第２の発光ダイオード表示モジュールと、制御モジュールと、第１の駆動モジュールとを備える。第１の発光ダイオード表示モジュールは、複数の発光ダイオードユニットを備え、画像情報を表示するためのものである。第１の駆動モジュールは、前記制御モジュールと前記第１の発光ダイオード表示モジュールとに電気的に接続される。制御モジュールは、前記画像情報に対応する複数の制御信号を前記第１の駆動モジュールに提供し、前記第１の発光ダイオード表示モジュール中の前記複数の発光ダイオードユニットを駆動して、前記画像情報を表示し、前記第１の発光ダイオード表示モジュール及び前記第１の駆動モジュールは、前記画像情報に対応する前記制御信号を前記制御モジュールに送り返し、前記制御モジュールは、前記第１の発光ダイオード表示モジュール及び前記第１の駆動モジュールから送り返された前記画像情報に対応する前記制御信号に応じて、前記第２の発光ダイオード表示モジュールを駆動して、前記第２の発光ダイオード表示モジュールに前記画像情報を表示する。ユーザが前記第２の発光ダイオード表示モジュールに表示される前記画像情報の内容に応じて、前記第１の発光ダイオード表示モジュールの前記画像情報を確認する。
【０００５】
本発明の一態様に係る発光ダイオード表示システムは、前記第１の発光ダイオード表示モジュール及び前記第１の駆動モジュールから送り返された前記画像情報に対応する前記制御信号を前記制御モジュールから受信して、前記第２の発光ダイオード表示モジュールを駆動する第２の駆動モジュールをさらに備える。
【０００６】
本発明の一態様に係る発光ダイオード表示システムは、前記第２の駆動モジュールは、第１の駆動ユニットと第２の駆動ユニットとを備え、前記第２の駆動モジュールの前記第１の駆動ユニット及び前記第２の駆動ユニットは、前記第１の発光ダイオード表示モジュール及び前記第１の駆動モジュールから送り返された前記画像情報に対応する前記制御信号に応じて、前記第２の発光ダイオード表示モジュールを駆動する。
【０００７】
本発明の一態様に係る発光ダイオード表示システムは、前記第１の駆動モジュールは、前記制御モジュールから提供される前記画像情報に対応する前記制御信号に応じて、前記第１の発光ダイオード表示モジュールを駆動するための第１の駆動ユニットと第２の駆動ユニットとを備える。
【０００８】
本発明の一態様に係る発光ダイオード表示システムは、前記第１の発光ダイオード表示モジュールは複数の発光ダイオードユニットを備え、前記第２の発光ダイオード表示モジュールは複数の発光ダイオードユニットを備え、前記第１の発光ダイオード表示モジュールのサイズと前記第２の発光ダイオード表示モジュールのサイズとが同じであり、前記第１の発光ダイオード表示モジュールの前記発光ダイオードユニットの数と前記第２の発光ダイオード表示モジュールの前記発光ダイオードユニットの数とが同じである。
【０００９】
本発明の一態様に係る発光ダイオード表示システムは、前記第１の発光ダイオード表示モジュールは複数の発光ダイオードユニットを備え、前記第２の発光ダイオード表示モジュールは複数の発光ダイオードユニットを備え、前記第１の発光ダイオード表示モジュールのサイズと前記第２の発光ダイオード表示モジュールのサイズとが異なり、前記第１の発光ダイオード表示モジュールの前記発光ダイオードユニットの数と前記第２の発光ダイオード表示モジュールの前記発光ダイオードユニットの数とが異なる。
【００１０】
本発明の一態様に係る発光ダイオード表示システムは、前記第１の発光ダイオード表示モジュールが第１の場所に設置され、前記第２の発光ダイオード表示モジュールが第２の場所に設置され、前記第１の場所と前記第２の場所とが異なる。
【００１１】
本発明の一実施形態は、発光ダイオード表示システムに適用する画像検出方法をさらに提供する。本発明の一態様に係る画像検出方法は、複数の制御信号に応じて第１の発光ダイオード表示モジュールを駆動して、少なくとも一つの第１の画像情報を表示するステップと、複数の制御信号を送り返すステップと、送り返された複数の制御信号に応じて、第２の発光ダイオード表示モジュールを駆動して、第１の画像情報を表示するステップと、第２の発光ダイオード表示モジュールの第１の画像情報に応じて第１の発光ダイオード表示モジュールの第１の画像情報が歪んでいるかを判断するステップとを含む。
【発明の効果】
【００１２】
以上をまとめると、本発明の一態様に係る発光ダイオード表示システムは、遠距離に設けられる第１の発光ダイオード表示モジュールの設置場所に監視設備を追加設置する必要がなく、ローカル側の制御端の第２の発光ダイオード表示モジュールで、遠距離に設けられる第１の発光ダイオード表示モジュールに示される画像情報に問題が発生するかを判断でき、設置及び監視コストを大きく低減できる。
【００１３】
本発明の上記特徴とメリットがより分かりやすいように、以下、添付される図面に基づき、好ましい実施形態について詳しく説明する。
【図面の簡単な説明】
【００１４】
【図１】図１は、第１の実施形成における、制御モジュールが第１の表示モジュールを駆動する模式図を示す。
【図２】図２は、第１の実施形態における、発光ダイオード表示システムの模式図を示す。
【図３】図３は、第２の実施形態における発光ダイオード表示システムの別の模式図を示す。
【図４】図４は、第３の実施形態における画像検出方法のフローチャートを示す。
【発明を実施するための形態】
【００１５】
以下、添付図面を参照して本発明を適用した実施形態について説明を行う。しかし、本発明の概念は、多くの異なる形で表現可能であり、本明細書において説明される実施形態に限定されるものではない。具体的には、これらの実施形態を提供することで、本発明は詳しくかつ完全になり、本発明の概念の範囲を当業者に十分に伝える。各図面において、分かりやすいように、層と領域の大きさ及び相対的な大きさを誇張して示すことができる。同様な符号は常に同様な部品を示す。
【００１６】
なお、本明細書において第１、第２、第３等の用語で各種の部品を説明する可能性があるが、これらの部品はこれらの用語に限定されるものではない。これらの用語は一部品と別の部品を区分するためのものである。このため、後述する第１の部品は第２の部品と読み替えてもよく、本発明の概念の範囲を逸脱しない。本明細書において用いられるように、用語「及び／又は」は、関連する列挙項目中の何れか及び１つ又は複数の全ての組合せを含む。
【００１７】
以下には少なくとも一つの実施形態で、図面に基づき前記発光ダイオード表示システムを説明するが、下記実施形態は本開示内容を制限するためのものではない。
【００１８】
（第１の実施形態）
図１及び図２を参照して、本発明の第１の実施形態に係る発光ダイオード表示システムについて説明する。図１は第１の実施形態における制御モジュールが第１の表示モジュールを駆動する模式図を示す。図２は第１の実施形態における発光ダイオード表示システムの模式図を示す。
【００１９】
図１及び図２を参照する。発光ダイオード表示システム１は、制御モジュール１１と、第１の駆動モジュール１２と、第１の発光ダイオード表示モジュール１３と、第２の発光ダイオード表示モジュール１４とを備える。第１の実施形態において、第１の駆動モジュール１２は、第１の駆動ユニット１２１と第２の駆動ユニット１２２とを備える。通常の第１の発光ダイオード表示モジュール１３の制御方式において、制御モジュール１１は、制御信号を第１の駆動モジュール１２の第１の駆動ユニット１２１及び第２の駆動ユニット１２２に提供して、駆動信号を第１の発光ダイオード表示モジュール１３の複数の発光ダイオードユニット（図示せず）に提供する。制御モジュール１１は複数の画像情報を受信し、複数の画像情報を各画像情報に対応する複数の制御信号に変換する。第１の実施形態において、制御モジュール１１は、第１の画像情報ＩＭＧ１、第２の画像情報ＩＭＧ２及び第３の画像情報ＩＭＧ３を受信し、第１の画像情報ＩＭＧ１、第２の画像情報ＩＭＧ２及び第３の画像情報ＩＭＧ３に対応する複数の制御信号を第１の駆動モジュール１２の第１の駆動ユニット１２１及び第２の駆動ユニット１２２に送信して、第１の発光ダイオード表示モジュール１３を駆動して第１の画像情報ＩＭＧ１、第２の画像情報ＩＭＧ２及び第３の画像情報ＩＭＧ３を表示する。第１の実施形態において、第１の発光ダイオード表示モジュール１３は、屋外である第１の場所に設置され、第１の実施形態において、第１の場所はビル外側又は球場のサイドウォールである。第２の発光ダイオード表示モジュール１４は、ローカル側の室内である第２の場所に設置され、第１の実施形態において、第２の発光ダイオード表示モジュール１４は、前記画像情報の提供側、即ち監視室に設置される。
【００２０】
しかし、第１の画像情報ＩＭＧ１、第２の画像情報ＩＭＧ２及び第３の画像情報ＩＭＧ３が正確に第１の発光ダイオード表示モジュール１３を介して表示されるかを検査するために、第１の駆動モジュール１２の第１の駆動ユニット１２１及び第２の駆動ユニット１２２は、第１の発光ダイオード表示モジュール１３を駆動する複数の駆動信号が制御モジュール１１に送り返される。制御モジュール１１は、これらの第１の駆動モジュール１２の第１の駆動ユニット１２１及び第２の駆動ユニット１２２から送り返された複数の駆動信号を第２の駆動モジュール１５に送信する。
【００２１】
第１の実施形態において、第２の駆動モジュール１５は、第１の駆動ユニット１５１と第２の駆動ユニット１５２とを備え、それぞれ、複数の駆動信号を第２の発光ダイオード表示モジュール１４に提供して、第２の発光ダイオード表示モジュール１４に画像情報を表示させる。
【００２２】
例えば、制御モジュール１１が第１の画像情報ＩＭＧ１に対応する複数の制御信号を第１の駆動モジュール１２の第１の駆動ユニット１２１及び第２の駆動ユニット１２２に送り出した後、第１の駆動モジュール１２の第１の駆動ユニット１２１及び第２の駆動ユニット１２２は、第１の画像情報ＩＭＧ１に対応する複数の制御信号を第１の画像情報ＩＭＧ１に対応する複数の駆動信号に変換して、第１の発光ダイオード表示モジュール１３の複数の発光ダイオードユニット（図示せず）を駆動して、第１の発光ダイオード表示モジュール１３に第１の画像情報ＩＭＧ１を表示させる。
【００２３】
その後、第１の駆動モジュール１２の第１の駆動ユニット１２１及び第２の駆動ユニット１２２は、第１の画像情報ＩＭＧ１に対応する複数の駆動信号を順に第１の駆動モジュール１２に送信してから、制御モジュール１１に送信する。制御モジュール１１は、第１の画像情報ＩＭＧ１に対応する前記駆動信号を第２の駆動モジュール１５に送信して、第２の発光ダイオード表示モジュール１４の複数の発光ダイオードユニット（図示せず）を駆動して、第１の画像情報ＩＭＧ１を表示する。
【００２４】
第１の実施形態において、発光ダイオード表示システム１の第１の発光ダイオード表示モジュール１３は、第１の画像情報ＩＭＧ１に対応する複数の駆動信号を送り返してから、第２の発光ダイオード表示モジュール１４によって元々第１の発光ダイオード表示モジュール１３に表示された第１の画像情報ＩＭＧ１が再現され、その後、監視者を介して第２の発光ダイオード表示モジュール１４に示される第１の画像情報ＩＭＧ１に応じて、第１の発光ダイオード表示モジュール１３に示される第１の画像情報ＩＭＧ１が歪んでいるかを判断する。
【００２５】
第１の実施形態において、第１の発光ダイオード表示モジュール１３と第２の発光ダイオード表示モジュール１４のサイズ及びそれらが有する発光ダイオードユニットの数は同じであり、即ち、第１の発光ダイオード表示モジュール１３に示される第１の画像情報ＩＭＧ１、第２の画像情報ＩＭＧ２及び第３の画像情報ＩＭＧ３は、何れも改めて第２の発光ダイオード表示モジュール１４に表示され得る。第１の発光ダイオード表示モジュール１３に示される第１の画像情報ＩＭＧ１、第２の画像情報ＩＭＧ２及び第３の画像情報ＩＭＧ３は、制御信号欠落又は歪みによる画像情報エラーが発生する場合、第２の発光ダイオード表示モジュール１４にも再現される。監視者はリアルタイムに問題を探し出して見直すことができる。しかしながら、第１の発光ダイオード表示モジュール１３と第２の発光ダイオード表示モジュール１４のサイズ及びそれらが有する発光ダイオードユニットの数は異なってもよく、本発明では制限されない。
【００２６】
（第２の実施形態）
図３を参照して、本発明の第２の実施形態に係る発光ダイオード表示システムについて説明する。発光ダイオード表示システム１’は、制御モジュール１１’と、第１の駆動モジュール１２’と、第１の発光ダイオード表示モジュール１３’と、第２の発光ダイオード表示モジュール１４’とを備える。第２の実施形態において、第１の駆動モジュール１２’は、第１の駆動ユニット１２１’と第２の駆動ユニット１２２’とを備える。通常の第１の発光ダイオード表示モジュール１３’の制御方式において、制御モジュール１１’は、制御信号を第１の駆動モジュール１２’の第１の駆動ユニット１２１’及び第２の駆動ユニット１２２’に提供して、駆動信号を第１の発光ダイオード表示モジュール１３’の複数の発光ダイオードユニット（図示せず）に提供する。制御モジュール１１’は、複数の画像情報を受信し、画像情報を複数の制御信号に変換する。第２の実施形態において、制御モジュール１１’は、第１の画像情報ＩＭＧ１、第２の画像情報ＩＭＧ２及び第３の画像情報ＩＭＧ３を受信する。即ち、制御モジュール１１’は、第１の画像情報ＩＭＧ１、第２の画像情報ＩＭＧ２及び第３の画像情報ＩＭＧ３に対応する複数の制御信号を第１の駆動モジュール１２’の第１の駆動ユニット１２１’及び第２の駆動ユニット１２２’に送信して、第１の発光ダイオード表示モジュール１３’を駆動して第１の画像情報ＩＭＧ１、第２の画像情報ＩＭＧ２及び第３の画像情報ＩＭＧ３を表示させる。
【００２７】
しかし、第１の画像情報ＩＭＧ１、第２の画像情報ＩＭＧ２及び第３の画像情報ＩＭＧ３が正確に第１の発光ダイオード表示モジュール１３’を介して表示されるかを検査するために、第１の駆動モジュール１２’の第１の駆動ユニット１２１及び第２の駆動ユニット１２２’は、第１の発光ダイオード表示モジュール１３’を駆動する複数の制御信号が信号伝送経路を介して制御モジュール１１’に送り返される。制御モジュール１１’は、これらの第１の駆動モジュール１２’の第１の駆動ユニット１２１’及び第２の駆動ユニット１２２’から送り返された複数の制御信号を第２の駆動モジュール１５’に送信する。
【００２８】
第２の実施形態において、第２の駆動モジュール１５’は、第１の駆動ユニット１５１’と第２の駆動ユニット１５２’とを備え、それぞれ、複数の駆動信号を第２の発光ダイオード表示モジュール１４’に提供して、第２の発光ダイオード表示モジュール１４’に画像情報を表示する。
【００２９】
換言すれば、制御モジュール１１’が第１の画像情報ＩＭＧ１に対応する複数の制御信号を第１の駆動モジュール１２’の第１の駆動ユニット１２１’及び第２の駆動ユニット１２２’に送り出して、第１の発光ダイオード表示モジュール１３’の複数の発光ダイオードユニット（図示せず）を駆動し、且つ第１の発光ダイオード表示モジュール１３’に第１の画像情報ＩＭＧ１を表示する。
【００３０】
その後、第１の駆動モジュール１２’の第１の駆動ユニット１２１’及び第２の駆動ユニット１２２’は、第１の画像情報ＩＭＧ１に対応する複数の駆動信号を順に制御モジュール１１’に送信する。制御モジュール１１’は、第１の画像情報ＩＭＧ１に対応する前記駆動信号を第２の駆動モジュール１５’に送信して、第２の発光ダイオード表示モジュール１４’の複数の発光ダイオードユニット（図示せず）を駆動して、第１の画像情報ＩＭＧ１’を表示する。
【００３１】
第２の実施形態において、発光ダイオード表示システム１’の第１の発光ダイオード表示モジュール１３’及び第１の駆動モジュール１２’は、第１の画像情報ＩＭＧ１に対応する複数の駆動信号を送り返してから、第２の発光ダイオード表示モジュール１４’によって元々第１の発光ダイオード表示モジュール１３’に表示された第１の画像情報ＩＭＧ１が再現され、その後監視者を介して第２の発光ダイオード表示モジュール１４’に示される第１の画像情報ＩＭＧ１に応じて、第１の発光ダイオード表示モジュール１３’に示される第１の画像情報ＩＭＧ１が歪んでいるかを判断する。
【００３２】
第２の実施形態において、第１の発光ダイオード表示モジュール１３’と第２の発光ダイオード表示モジュール１４’のサイズ及びそれらが有する発光ダイオードユニットの数は同じであり、即ち、第１の発光ダイオード表示モジュール１３’に示される第１の画像情報ＩＭＧ１、第２の画像情報ＩＭＧ２及び第３の画像情報ＩＭＧ３は、何れも改めて第２の発光ダイオード表示モジュール１４’に表示され得る。第１の発光ダイオード表示モジュール１３’に示される第１の画像情報ＩＭＧ１、第２の画像情報ＩＭＧ２及び第３の画像情報ＩＭＧ３は、制御信号欠落又は歪みによる画像情報エラーが発生する場合、第２の発光ダイオード表示モジュール１４’にも再現される。監視者はリアルタイムに問題を探し出して見直すことができる。しかしながら第１の発光ダイオード表示モジュール１３’と第２の発光ダイオード表示モジュール１４’のサイズ及びそれらが有する発光ダイオードユニットの数は異なってもよく、本発明では制限されない。
【００３３】
（第３の実施形態）
本発明は、第１の実施形態及び第２の実施形態に記載の発光ダイオード表示システムに適用する画像検出方法をさらに提供する。即ち、本発明の画像検出方法は二つ以上の発光ダイオード表示モジュールを有する表示システムに適用する。
【００３４】
第３の実施形態において、画像検出方法は、複数の制御信号に応じて第１の発光ダイオード表示モジュールを駆動して、少なくとも一つの第１の画像情報を表示するステップ（ステップＳ１００）と、これらの複数の制御信号を送り返すステップ（ステップＳ１１０）と、送り返されたこれらの制御信号に応じて、第２の発光ダイオード表示モジュールを駆動して、第１の画像情報を表示するステップ（ステップＳ１２０）と、第２の発光ダイオードの第１の画像情報に応じて第１の発光ダイオード表示モジュールの第１の画像情報が歪んでいるかを判断するステップ（ステップＳ１３０）とを含む。
【００３５】
ステップＳ１００において、発光ダイオード表示システム１の制御モジュール１１によって複数の制御信号が第１の駆動モジュール１２に提供され、第１の発光ダイオード表示モジュール１３を駆動して少なくとも一つの第１の画像情報ＩＭＧ１を表示させる。第３の実施形態において、制御モジュール１１は第１の発光ダイオード表示モジュール１３を駆動して第１の画像情報ＩＭＧ１、第２の画像情報ＩＭＧ２及び第３の画像情報ＩＭＧ３等を表示させることができ、その数は本発明において制限されない。
【００３６】
ステップＳ１１０において、第１の駆動モジュール１２及び第１の発光ダイオード表示モジュール１３は、前記第１の画像情報ＩＭＧ１に対応する制御信号を制御モジュール１１に送り返す。
【００３７】
ステップＳ１２０において、制御モジュール１１は、送り返されたこれらの制御信号に応じて第２の発光ダイオード表示モジュール１４を駆動して、これらの制御信号に対応する第１の画像情報ＩＭＧ１を表示する。
【００３８】
ステップＳ１３０において、ユーザが第２の発光ダイオード表示モジュール１４に表示される第１の画像情報ＩＭＧ１を見ることで、第１の発光ダイオード表示モジュール１３に示される第１の画像情報ＩＭＧ１が歪んでいるかを判断する。
【００３９】
第３の実施形態において、第１の発光ダイオード表示モジュール１３と第２の発光ダイオード表示モジュール１４のサイズ及びそれらが有する発光ダイオードユニットの数は同じであり、即ち、第１の発光ダイオード表示モジュール１３に示される第１の画像情報ＩＭＧ１、第２の画像情報ＩＭＧ２及び第３の画像情報ＩＭＧ３は、何れも改めて第２の発光ダイオード表示モジュール１４に表示され得る。第１の発光ダイオード表示モジュール１３に示される第１の画像情報ＩＭＧ１、第２の画像情報ＩＭＧ２及び第３の画像情報ＩＭＧ３は、制御信号欠落又は歪みによる画像情報エラーが発生する場合、第２の発光ダイオード表示モジュール１４にも再現される。監視者はリアルタイムに問題を探し出して見直すことができる。しかしながら、第１の発光ダイオード表示モジュール１３と第２の発光ダイオード表示モジュール１４のサイズ及びそれらが有する発光ダイオードユニットの数は異なってもよく、本発明では制限されない。
【００４０】
以上をまとめると、本発明の発光ダイオード表示システムは遠距離で設置される第１の発光ダイオード表示モジュールの設置場所に監視設備を追加設置する必要がなく、ローカル側の制御端の第２の発光ダイオード表示モジュールで、遠距離で設置される第１の発光ダイオード表示モジュールに示される画像情報に問題が発生するかを判断でき、設置及び監視コストを大きく低減できる。
【００４１】
上述したのは本発明の実施形態の一例に過ぎず、本発明の特許請求の範囲を制限するためのものではない。
【符号の説明】
【００４２】
１、１’    発光ダイオード表示システム
１１、１１’    制御モジュール
１２、１２’    第１の駆動モジュール
１３、１３’    第１の発光ダイオード表示モジュール
１４、１４’    第２の発光ダイオード表示モジュール
１５、１５’    第２の駆動モジュール
１２１、１５１、１２１’、１５１’    第１の駆動ユニット
１２２、１５２、１２２’、１５２’    第２の駆動ユニット
ＩＭＧ１    第１の画像情報
ＩＭＧ２    第２の画像情報
ＩＭＧ３    第３の画像情報
Ｓ１００、Ｓ１１０、Ｓ１２０、Ｓ１３０    ステップ
【図１】
2019185027.tif 000003
【図２】
2019185027.tif 000004
【図３】
2019185027.tif 000005
【図４】
2019185027.tif 000006